(57)【要約】【課題】ソケットを構成する部品の数を減らしてソケットのコストを抑えるとともに、ソケットのカバーを薄く形成して被検査部材の試験を適切に行うこと。【解決手段】ソケット１００が、被検査部材を収容する本体部１０と、本体部１０とともに被検査部材を挟むプレート２１と、プレート２１に対して回動するように取り付けられるとともに、本体部１０に引っ掛かるストッパ３０と、ストッパ３０とプレート２１に挟まれプレート２１を被検査部材に向けて付勢する圧縮バネ４０と、を備える。【選択図】図４
2019139849.tif 000002
【特許請求の範囲】
【請求項１】
被検査部材を収容する本体部と、
前記本体部とともに前記被検査部材を挟むプレートと、
前記プレートに対して回動するように取り付けられるとともに、前記本体部に引っ掛かるストッパと、
前記ストッパと前記プレートに挟まれ前記プレートを前記被検査部材に向けて付勢する圧縮バネと、
を備えるソケット。
【請求項２】
前記プレートと前記ストッパのうち何れか一方は、前記プレートが付勢される方向に延びる長穴を有し、
前記プレートと前記ストッパのうち何れか他方は、前記長穴に挿入される軸を有することを特徴とする請求項１に記載のソケット。
【請求項３】
前記プレートは、前記プレートが付勢される方向に延びる貫通穴を有することを特徴とする請求項１または２に記載のソケット。
【発明の詳細な説明】
【技術分野】
【０００１】
本発明は、被検査部材と配線基板とを電気的に接続するためのソケットに関するものである。
【背景技術】
【０００２】
従来、ベアチップなどの被検査部材の試験（例えば、バーンイン試験。）が行われる際、被検査部材と配線基板とを電気的に接続するために、ソケットが用いられている。
【０００３】
特許文献１には、被検査部材の各種試験に用いられるソケットが開示されている。図６は、特許文献１に開示されたソケットを説明する模式図である。なお、図６では、矢印で示される方向を便宜的に上または下としてソケットの説明を行う。
【０００４】
ソケット２００は、ソケット本体１１０と、ソケット本体１１０に収容された被検査部材１７０を下側に向けて押圧するカバー１２０とを有している。カバー１２０は、カバー本体１２１と、ストッパ１３０と、カバーパット１２５と、圧縮バネ１４０とを有し、カバー１２０がソケット本体１１０に取り付けられた状態において、カバーパット１２５が被検査部材１７０を押圧している。
【０００５】
また、カバー本体１２１とカバーパット１２５は、上下方向に貫通する貫通穴（不図示）を有し、被検査部材１７０がＣＣＤイメージセンサなどの撮像素子である場合、撮像素子に被写体の像を結像させるレンズが貫通穴付近に配置される。
【先行技術文献】
【特許文献】
【０００６】
【特許文献１】特開２０１７−８４５６０号公報
【発明の概要】
【発明が解決しようとする課題】
【０００７】
一般に、ソケット２００を構成する部品の数が多いほど、コストは増大する傾向にあるため、ソケット２００を構成する部品の数は少ない方が好ましい。しかしながら、従来のソケット２００では、カバー１２０が、カバー本体１２１と、ストッパ１３０と、カバーパット１２５と、圧縮バネ１４０とを有するなど、多くの部品で構成されていた。そのため、ソケット２００のコストが増大することが懸念される。
【０００８】
また、カバー１２０を、カバー本体１２１とカバーパット１２５で圧縮バネ１４０を挟み込む構成とすると、カバー１２０の厚みが厚くなり、結果として、レンズを被検査部材１７０に近づけられなくなる。そうすると、撮像素子に対して被写体の像を結像できず、適切に被検査部材の試験を行えなくなる恐れがあった。
【０００９】
本発明は、ソケットを構成する部品の数を減らしてソケットのコストを抑えるとともに、ソケットのカバーを薄く形成して被検査部材の試験を適切に行うことを可能とすることを目的とする。
【課題を解決するための手段】
【００１０】
上記目的を達成するために、本発明のソケットは、被検査部材を収容する本体部と、本体部とともに被検査部材を挟むプレートと、プレートに対して回動するように取り付けられるとともに、本体部に引っ掛かるストッパと、ストッパとプレートに挟まれプレートを被検査部材に向けて付勢する圧縮バネと、を備える。
【発明の効果】
【００１１】
本発明によれば、ソケットを構成する部品の数を減らしてソケットのコストを抑えるとともに、ソケットのカバーを薄く形成して被検査部材の試験を適切に行うことが可能となる。
【図面の簡単な説明】
【００１２】
【図１】本発明のソケットの一例を示す斜視図
【図２】本発明のソケットの一例を示す正面図
【図３】本発明のソケットの一例を示す平面図
【図４】図３におけるＡ−Ａ矢視断面図
【図５】本発明のプローブピンの一例を説明する図
【図６】従来のソケットを説明する模式図
【発明を実施するための形態】
【００１３】
以下、本発明の実施の形態について、図面を参照しながら説明する。なお、同じ構成要素には同じ符号を付している。また、図面は、理解しやすくするためにそれぞれの構成要素を模式的に示している。また、本明細書では、図１，２，４，５の矢印で示される方向を便宜的に上または下として説明する。
【００１４】
図１は、本発明のソケットの一例を示す斜視図である。図２は、本発明のソケットの一例を示す正面図である。図３は、本発明のソケットの一例を示す平面図である。図４は、図３におけるＡ−Ａ矢視断面図である。
【００１５】
ソケット１００は、被検査部材（不図示）を収容し、収容した被検査部材と、ソケット１００の下側に取り付けられた配線基板６０とを電気的に接続するための装置である。被検査部材は、例えば、ＩＣパッケージ、撮像素子などの電子部品である。
【００１６】
ソケット１００は、ソケット本体１０と、カバー２０と、プローブピン４５とを有する。
【００１７】
ソケット本体１０は、例えば、合成樹脂などの絶縁体からなり、被検査部材を収容する収容部１４を有する部材である。ソケット本体１０は、枠体１１、ならびに、枠体１１を上下から挟み込む上側プレート１２および下側プレート１３を有する。
【００１８】
枠体１１は、中央に矩形状の開口を有する枠状の部材である。枠体１１の外側を向く側面のうち平行に配置された一対の側面には、外側方向に突出する爪部１１ａが形成されている。枠体１１の爪部１１ａには、後に説明するストッパ３０の爪部３３が引っ掛けられる。
【００１９】
上側プレート１２は、平面視で矩形状に形成された板状部材であり、上述した収容部１４は、上側プレート１２の上面に形成される。上側プレート１２は、中央部に上下方向に貫通する矩形状の貫通穴を有する。この矩形状の貫通穴には、後に説明するベース部材５０が挿入される。
【００２０】
また、上側プレート１２は、上下方向に貫通する複数の小径の第１の貫通穴１２ａを有する。第１の貫通穴１２ａには、プローブピン４５が挿入される。
【００２１】
下側プレート１３は、平面視で矩形状に形成された板状部材である。下側プレート１３は、中央部に上下方向に貫通する矩形状の貫通穴を有する。枠体１１に上側プレート１２および下側プレート１３が取り付けられた状態において、下側プレート１３の矩形状の貫通穴は、上側プレート１２の矩形状の貫通穴を上方から下側プレート１３に向けて投影した位置に配置される。下側プレート１３の矩形状の貫通穴には、後に説明するベース部材５０が挿入される。
【００２２】
また、下側プレート１３は、第１の貫通穴１２ａを上方から下側プレート１３に向けて投影した位置に、上下方向に貫通する複数の小径の第２の貫通穴１３ａを有する。第１の貫通穴１２ａと同様に、第２の貫通穴１３ａにも、プローブピン４５が挿入される。
【００２３】
カバー２０は、ソケット本体１０を上側から覆うとともに、被検査部材をソケット本体１０に向けて押圧する部材である。カバー２０は、カバー本体２１と、ストッパ３０と、圧縮バネ４０とを有する。
【００２４】
カバー本体２１は、平面視で矩形状に形成されたプレートであり、中央付近に上下方向に貫通する矩形状の貫通穴２０ａを有する。
【００２５】
被検査部材が、例えば、撮像素子である場合、被検査部材に被写体の像を結像させるため、カバー本体２１に形成された貫通穴２０ａ付近にはレンズが配設される。
【００２６】
カバー本体２１の下面には、カバー本体２１がソケット本体１０に取り付けられた際、被検査部材の上面に接触する接触部２５が設けられている。
【００２７】
また、カバー本体２１の互いに対向する一対の側面には、それぞれ外側に延びる突出部２２が設けられている。突出部２２は、一つの側面に対して２つ設けられており、これら２つの突出部２２は、互いに所定間隔を空けて配置されている。各突出部２２には、ストッパ３０が取り付けられる取付穴２３が形成されている。取付穴２３は、上下方向に延びる直線部分を有する長穴である。換言すれば、取付穴２３は、カバー本体２１が付勢される方向に延びる長穴である。
【００２８】
また、カバー本体２１は、カバー本体２１の縁部分であって、２つの突出部２２の間の領域に、圧縮バネ４０を載置する圧縮バネ載置部２４を有する。圧縮バネ載置部２４には、複数の圧縮バネ４０が載置され、圧縮バネ載置部２４は、次に説明するストッパ３０とともに圧縮バネ４０を挟む。
【００２９】
ストッパ３０は、カバー本体２１をソケット本体１０に向けて押圧するとともに、カバー本体２１をソケット本体１０に固定する部材である。
【００３０】
ストッパ３０は、カバー本体２１に設けられた圧縮バネ載置部２４との間で圧縮バネ４０を挟む圧縮バネ押圧部３１と、ストッパ３０がカバー本体２１に取り付けられた状態においてソケット本体１０の側面に沿って延びる延出部３２と、延出部３２の先端に設けられ、ソケット本体１０の爪部１１ａに引っ掛かる爪部３３と、カバー本体２１がソケット本体１０に着脱される際に操作される操作部３４とを有する。
【００３１】
また、ストッパ３０は、圧縮バネ押圧部３１と延出部３２と操作部３４が交わる交差領域に沿って、水平方向に延びる貫通穴が形成されている。ストッパ３０の貫通穴には軸部材３５が挿入される。ストッパ３０の貫通穴に軸部材３５が挿入された状態において、軸部材３５の両端部は、貫通穴の両端から突出する。
【００３２】
ストッパ３０は、カバー２０に設けられた一対の突出部２２の間に配置され、軸部材３５の両端部は、突出部２２に形成された取付穴２３に嵌め込まれる。上述したように、突出部２２に形成された取付穴２３は、上下方向に延びる直線部分を有する長穴であるため、ストッパ３０は、カバー本体２１に対して上下方向に移動可能、かつ、軸部材３５周りに回動可能にカバー本体２１に取り付けられる。
【００３３】
圧縮バネ４０は、カバー本体２１の圧縮バネ載置部２４とストッパ３０の圧縮バネ押圧部３１との間に挟まれている。圧縮バネ４０は、カバー本体２１がソケット本体１０に取り付けられた際に、カバー本体２１をソケット本体１０に向けて付勢する付勢部材である。圧縮バネ４０は、例えば、コイルバネである。
【００３４】
プローブピン４５は、ソケット本体１０の収容部１４に収容された被検査部材とソケット本体１０の下側に取り付けられる配線基板６０とを電気的に接続する部材である。図５は、本発明のプローブピン４５の一例を説明する図である。
【００３５】
プローブピン４５は、例えば、導電性の金属材料により形成される。プローブピン４５は、バレル４６と、圧縮バネ４７と、プランジャ４８とを有する。
【００３６】
バレル４６は、圧縮バネ４７を収容するとともにプランジャ４８をガイドする円筒部４６ａと、円筒部４６ａの外径よりも小径に形成され、先端に被検査部材と接触する接触部４６ｃを有する円柱部４６ｂとを備える。
【００３７】
プランジャ４８は、圧縮バネ４７を収容する円筒部４８ａと、下端が配線基板６０に接触する接触部４８ｃを有する円柱部４８ｂとを備える。また、円筒部４８ａは、バレル４６の円筒部４６ａの内周面にガイドされる大径部４８ａ１を有する。
【００３８】
圧縮バネ４７は、バレル４６の円筒部４６ａおよびプランジャ４８の円筒部４８ａに収容され、バレル４６の接触部４６ｃとプランジャ４８の接触部４８ｃとを互いに離れる方向に付勢する付勢部材である。
【００３９】
収容部１４に被検査部材が収容されていない状態において、バレル４６の円柱部４６ｂは収容部１４からわずかに突出する。このとき、プランジャ４８の接触部４８ｃはソケット本体１０を構成する下側プレート１３の下面からわずかに突出し、ソケット本体１０の下側に配置された配線基板６０に接触している。
【００４０】
収容部１４に被検査部材が収容されると、バレル４６は、被検査部材の下側に設けられた端子によって下側に押圧され、圧縮バネ４７の反発力に抗して下側に移動する。これにより、バレル４６は、圧縮バネ４７によって被検査部材に向けて付勢される。また、プランジャ４８は、圧縮バネ４７の反発力によって配線基板６０に向けて付勢される。したがって、プローブピン４５は、被検査部材の端子および配線基板６０に確実に接触する。
【００４１】
図１−４の説明に戻る。ソケット１００には、下側からベース部材５０が取り付けられる。ベース部材５０は、上面に矩形状の突部５１を有する板状部材である。ベース部材５０は、突部５１が上側プレート１２に形成された貫通穴および下側プレート１３に形成された貫通穴に挿入されるようにソケット１００に取り付けられる。
【００４２】
ベース部材５０の突部５１の上面は、ベース部材５０がソケット１００に取り付けられた状態において、上側プレート１２の上面と同一平面に位置するように配置される。
【００４３】
ベース部材５０は、例えば、ヒーターブロックで構成される。ベース部材５０をヒーターブロックで構成することで、各種試験において、高温雰囲気下における被検査部材の挙動について調べることができる。
【００４４】
次に、被検査部材をソケット１００に収納する際の、ソケット１００の各部の動きについて説明する。
【００４５】
まず、カバー２０がソケット本体１０に取り付けられていない状態において、ソケット本体１０の収容部１４に被検査部材が収容される。
【００４６】
上述したように、収容部１４に被検査部材が収容されると、プローブピン４５の接触部４６ｃが被検査部材の下面に設けられた端子に接触する。
【００４７】
収容部１４に被検査部材が収容された後、カバー本体２１がソケット本体１０に取り付けられる。カバー本体２１がソケット本体１０に取り付けられる際、ストッパ３０の操作部３４は、圧縮バネ４０を圧縮する方向に操作される。
【００４８】
操作部３４が操作された状態においてカバー本体２１がソケット本体１０に向けて押圧されると、被検査部材の上面は、カバー本体２１の接触部２５によって押圧される。この状態で操作部３４の操作が解除されると、ストッパ３０の爪部３３とソケット本体１０の爪部１１ａが引っ掛かり、カバー２０とソケット本体１０が固定される。
【００４９】
上述したように、カバー本体２１に形成された取付穴２３は、上下方向に延びる直線部分を有する長穴である。そのため、カバー本体２１がソケット本体１０に固定された状態において、カバー本体２１は、圧縮バネ４０によって付勢されるとともに被検査部材を押圧する。
【００５０】
以上説明したとおり、本実施の形態では、カバー本体２１が直接、被検査部材をソケット本体１０に向けて押圧する。したがって、カバー本体２１とは別に、被検査部材を押圧するカバーパットなどの部材を設ける必要がなく、少ない部品でソケット１００を構成することができる。これにより、ソケット１００のコストを抑制することができる。
【００５１】
また、本実施の形態では、カバー本体２１とともに圧縮バネ４０を挟むカバーパットなどの部材を設ける必要がない。したがって、カバー２０の厚みを薄くして、ソケット１００のコンパクト化を図ることができる。
【００５２】
また、被検査部材が撮像素子であり、レンズなどの光学素子をカバー本体２１の貫通穴２０ａ付近に配置する場合は、レンズなどの光学素子を従来よりも撮像素子に近接させることができる。よって、撮像素子の試験を適切に行うことができる。
【００５３】
さらに、被検査部材の試験を行う際、試験の補助装置などの装置をカバー本体２１の貫通穴２０ａ付近に配置して被検査部材に近接させる必要がある場合、当該装置を従来よりも被検査部材に近接させることができる。
【００５４】
上述した実施の形態では、ストッパ３０に形成された貫通穴に軸部材３５を挿入する構成としたが、ストッパ３０と軸部材３５とを一体成形してもよい。これにより、ソケット１００を構成する部品の数をさらに削減することができる。
【００５５】
また、上述した実施の形態では、ストッパ３０に軸部材３５が取り付けられ、カバー本体２１に長穴状の取付穴２３が形成される構成としたが、ストッパ３０に長穴状の取付穴２３が形成され、カバー本体２１に軸部材３５が取り付けられる構成としてもよい。このような構成であっても、ストッパ３０は、カバー本体２１に対して上下方向に移動可能、かつ、軸部材３５周りに回動可能にカバー本体２１に取り付けられる。
【００５６】
また、上述した実施の形態では、ストッパ３０の爪部３３とソケット本体１０の爪部１１ａとを２カ所で引っ掛けることにより、カバー２０とソケット本体１０とを固定する構成にした。しかしながら、カバー２０とソケット本体１０とを固定するための構成は、このような構成に限られない。
【００５７】
例えば、２つのストッパ３０のうちの一方のストッパ３０の延出部３２と、ソケット本体１０の一つの側面とをヒンジで接続してもよい。
【００５８】
これにより、カバー本体２１とソケット本体１０とがヒンジおよび一方のストッパ３０を介して接続されるため、カバー２０をソケット本体１０に対して被せる際、カバー２０とソケット本体１０とを容易に位置合わせすることができる。
【産業上の利用可能性】
【００５９】
本発明は、被検査部材と配線基板とを電気的に接続するためのソケットに広く利用可能である。
【符号の説明】
【００６０】
１０  ソケット本体
１１  枠体
１１ａ  爪部
１２  上側プレート
１２ａ  第１の貫通穴
１３  下側プレート
１３ａ  第２の貫通穴
２０  カバー
２０ａ  貫通穴
２１  カバー本体
２２  突出部
２３  取付穴
２４  圧縮バネ載置部
２５  接触部
３０  ストッパ
３１  圧縮バネ押圧部
３２  延出部
３３  爪部
３４  操作部
３５  軸部材
４０  圧縮バネ
４５  プローブピン
４６  バレル
４６ａ  円筒部
４６ｂ  円柱部
４６ｃ  接触部
４７  圧縮バネ
４８  プランジャ
４８ａ  円筒部
４８ａ１  大径部
４８ｂ  円柱部
４８ｃ  接触部
５０  ベース部材
５１  突部
６０  配線基板
１００  ソケット
１１０  ソケット本体
１２０  カバー
１２１  カバー本体
１２５  カバーパット
１３０  ストッパ
１４０  圧縮バネ
２００  ソケット
【図１】
2019139849.tif 000003
【図２】
2019139849.tif 000004
【図３】
2019139849.tif 000005
【図４】
2019139849.tif 000006
【図５】
2019139849.tif 000007
【図６】
2019139849.tif 000008